(57)【要約】【課題】  ユーザの使用環境に応じて、印刷用紙媒体の名称をユーザ独自で任意に設定することを可能にする。【解決手段】  表示／入力部（表示部、入力部）５は、形成画像を印刷する印刷用紙媒体の用紙名称を表示するとともに、その表示された用紙名称を変更する変更名称を入力する。制御部１７は、変更名称をその印刷用紙媒体に対応付けて変更制御する。記憶部７は、印刷用紙媒体に対応付けられたその変更名称を読み書き可能に記憶する。【選択図】  図１
2008097335.tif 000002
【特許請求の範囲】
【請求項１】
形成画像を印刷する印刷用紙媒体の用紙名称を表示する表示部と、
この表示部に表示された前記用紙名称を変更する変更名称を入力する入力部と、
前記変更名称を前記印刷用紙媒体に対応付けて変更制御する制御部と、
前記印刷用紙媒体に対応付けられた前記変更名称を読み書き可能に記憶する記憶部と、
を具備することを特徴とする画像形成装置。
【請求項２】
前記変更名称は前記印刷用紙媒体の規格名称以外の名称である請求項１記載の画像形成装置。
【請求項３】
記憶された前記変更名称を前記印刷用紙媒体に対応付けたファイルを入力又は出力する入出力部を有する請求項１又は２記載の画像形成装置。
【請求項４】
前記入出力部は情報処理装置と前記ファイルを入力又は出力する請求項１〜３いずれか１記載の画像形成装置。
【請求項５】
記憶された前記変更名称に対応した前記印刷用紙媒体に印刷する印刷エンジンを有する請求項１〜４いずれか１記載の画像形成装置。
【請求項６】
情報処理をするコンピュータに、
印刷用紙媒体に対応する用紙名称を表示する表示処理と、
表示された前記用紙名称に対する変更名称を入力する入力処理と、
前記変更名称を前記印刷用紙媒体に対応付けて変更制御する変更制御処理と、
前記印刷用紙媒体に対応付けられた前記変更名称を読み書き可能に記憶する記憶処理と、
を実行させるための情報処理プログラム。
【請求項７】
前記変更名称は前記印刷用紙媒体の規格名称以外の名称である請求項６記載の情報処理プログラム。
【請求項８】
記憶された前記変更名称を前記印刷用紙媒体に対応付けたファイルの入力又は出力処理を実行する請求項６又は７記載の情報処理プログラム。
【請求項９】
前記入力又は出力処理は画像形成装置との間で実行する請求項８記載の情報処理プログラム。
【請求項１０】
記憶された前記変更名称に対応した前記印刷用紙媒体に印刷する印刷処理を実行する請求項６〜９いずれか１記載の情報処理プログラム。
【発明の詳細な説明】
【技術分野】
【０００１】
本発明は画像形成装置、情報処理プログラムおよび記憶媒体に係り、例えば複写機、プリンタおよびこの複合機（ＭＦＰ：Multi Function Peripheral）等に用いて好適する画像形成装置および情報処理プログラムの改良に関する。
【背景技術】
【０００２】
複写機等の画像形成装置においては、一般に、操作パネルに選択可能な印刷用紙の名称、等倍や拡大縮小といった印刷サイズ、複写枚数に加えて、複写開始や中止その他の種々の操作内容を表示するとともに、この表示に基づき操作内容を選択して操作することが一般に行われている。
【０００３】
ところが、製造メーカが予め設定供給する複写機等の操作パネルは、汎用ではあるものの、ユーザによっては表示内容を変更したい場合も予想される。
【０００４】
そこで、例えば特開２００４−１９２６４１号公報（特許文献１）のような構成が提案されている。
【０００５】
この構成は、ユーザ・インターフェース・エレメントと、予め指定されたユーザ・インターフェースのコンビネーションを含むカスタム・ユーザ・インターフェース・セットと、ユーザにより選択的に変更することができるそのカスタム・ユーザ・インターフェース・セットの少なくとも一部分と、そのカスタム・ユーザ・インターフェース・エレメントをユーザが選択的に指定するエレメント指定手段を含むコンフィギュレーション設定手段と、を含むカスタム可変ユーザ・インターフェースである。
【０００６】
この特許文献１の構成によれば、ユーザは複数のユーザ・インターフェースを生成したり、ユーザ・インターフェースセットやこれを選択するタブ等に名称を付すことが可能で、当該ユーザ・インターフェースのレイアウトをカスタマイズすることが可能であり、ユーザの使い勝手を向上させることが期待されている。
【特許文献１】特開２００４−１９２６４１号公報
【発明の開示】
【発明が解決しようとする課題】
【０００７】
しかしながら、従来の複写機等においては、例えば印刷用紙について、一般に使用される印刷用紙の名称を製造メーカが「Ａ４用紙」とか「普通紙」といったように予め設定して供給しているが、ユーザによっては「普通紙」を「白紙」と呼んでいる場合や、「誓約書」や「注文伝票」等のように特殊用紙を使用している場合等があり、既存の印刷用紙の名称では対応できないケースがあり、使い勝手を向上させ難い。
【０００８】
さらに、上述した特許文献１では、ユーザ・インターフェースのレイアウトを独自にカスタマイズすることができるが、単に、予め設定されているデフォルト名称を選択してカスタマイズする技術を開示するに止まり、どのような表示内容を設定するかまでは開示されておらず、改善が望まれている。
【０００９】
本発明はそのような課題を解決するためになされたもので、ユーザの使用環境に応じて、印刷用紙媒体の名称をユーザ独自で任意に設定することを可能にして利便性を向上させた画像形成装置および情報処理プログラムの提供を目的とする。
【課題を解決するための手段】
【００１０】
そのような課題を解決するために本発明に係る画像形成装置は、形成画像を印刷する印刷用紙媒体の用紙名称を表示する表示部と、この表示部に表示されたその用紙名称を変更する変更名称を入力する入力部と、その変更名称をその印刷用紙媒体に対応付けて変更制御する制御部と、その印刷用紙媒体に対応付けられたその変更名称を読み書き可能に記憶する記憶部とを具備している。
【００１１】
また、本発明に係る情報処理プログラムは、情報処理をするコンピュータに、その印刷用紙媒体に対応する用紙名称を表示する表示処理と、表示されたその用紙名称に対する変更名称を入力する入力処理と、その変更名称をその印刷用紙媒体に対応付けて変更制御する変更制御処理と、その印刷用紙媒体に対応付けられたその変更名称を読み書き可能に記憶する記憶処理とを実行させるものである。
【００１２】
本発明では、上記変更名称として印刷用紙媒体の規格名称以外の名称とする構成も可能である。
【００１３】
本発明では、記憶された上記変更名称をその印刷用紙媒体に対応付けたファイルの入力又は出力をする構成も可能である。
【００１４】
本発明では、情報処理装置又は画像形成装置との間で前記ファイルを入力又は出力する構成も可能である。
【００１５】
本発明では、記憶された上記変更名称に対応した印刷用紙媒体に印刷する構成も可能である。
【発明の効果】
【００１６】
このような本発明に係る画像形成装置および情報処理プログラムでは、形成画像を印刷する印刷用紙媒体の用紙名称を表示し、この表示部に表示されたその用紙名称を変更する変更名称を入力し、その変更名称をその印刷用紙媒体に対応付けて変更制御し、その印刷用紙媒体に対応付けられたその変更名称を読み書き可能に記憶するから、ユーザの使用環境に応じて、印刷用紙媒体の名称をユーザ独自で任意に設定することが可能である。
【００１７】
本発明において、上記変更名称として印刷用紙媒体の規格名称以外の名称とする構成では、変更名称自体が種々に拡大可能となるから、画像形成装置等の利用範囲が拡大される。
【００１８】
本発明において、上記変更名称をその印刷用紙媒体に対応付けたファイルを入力又は出力する構成では、変更名称を種々の情報処理装置や画像形成装置に反映させることが可能となるから、利用範囲が拡大される。
【００１９】
本発明において、記憶された上記変更名称に対応した印刷用紙媒体に印刷する構成では、変更名称を用いていても、規格化された印刷用紙媒体に印刷可能である。
【発明を実施するための最良の形態】
【００２０】
以下、本発明の実施の形態を図面を参照して説明する。
【００２１】
図１は本発明に係る画像形成装置の実施の一形態を示すブロック図であり、図２は本発明の情報処理プログラムを説明するための情報処理装置の一形態を示すブロック図である。
【００２２】
図１において、本発明に係る画像形成装置（例えばプリンタ）２１と、情報処理装置（例えばパソコン）２３とがネットワーク１９を介して接続されている。
【００２３】
画像形成装置２１は、バス１を介して接続されたネットワークコントロール部３、表示／入力部５、記憶部７、画像処理部９、画像読取部１１、印刷部１３、入出力部１５およびこれらを制御する制御部１７を有して構成されている。
【００２４】
ネットワークコントロール部３は、ネットワーク１９に対し、後述する変更名称ファイルその他種々の情報を送受信する従来公知のネットワークインターフェース（ＮＩＣ）である。送受信するデータの詳細は後述する。また、ネットワークコントロール部３は、後述する情報処理装置２３から送信されてきた印刷用の中間データも受信する。
【００２５】
表示／入力部５は、当該装置本体ケース（図示せず。）に配置された液晶表示手段とタッチスイッチ入力手段を兼ねた液晶タッチパネル等からなり、印刷部１３によって印刷する印刷用紙の選択、印刷の実行、中止、その他種々の表示入力機能を有し、制御部１７によって制御される。
【００２６】
表示／入力部５は、制御部１７の制御の下、例えば図３Ａに示すように、印刷サイズ、給紙元、印刷用紙名称（メディアタイプ）を表示するとともに、図示を省略した入力キー等により、Ａ４、Ｂ４、Ａ３といった印刷サイズの選択、印刷部１３の印刷エンジン中の給紙カセット１、２といった給紙元の選択、普通紙、プレプリント、再生紙といった印刷用紙名称（メディアタイプ）の選択が可能になっている。
【００２７】
表示／入力部５は、制御部１７の制御の下、図３Ｂに示すように、印刷用紙名称（メディアタイプ）を表示するとともに、図示を省略した入力キーにより、印刷用紙名称（メディアタイプ）中の例えば「普通紙」や「プレプリント」を反転選択してから「白紙」や「注文伝票」といった任意の名称を入力変更して表示する機能を有している。
【００２８】
すなわち、表示／入力部５は、印刷用紙名称（メディアタイプ）を表示する表示部として機能するとともに、表示された用紙名称の変更名称を入力する入力部として機能する。
【００２９】
画像処理部９は、制御部１７の制御の下、後述する画像読取部１１で作成された画像データ、情報処理装置２３から受信した印刷用の中間データを印刷部１３で印刷できる頁単位データに変換処理し、変換データを印刷部１３に出力する機能を有している。
【００３０】
画像読取部１１は、制御部１７の制御の下、例えば印刷された複数頁の原稿を光学的に自動的に読み込み、フィルタ処理、変倍処理、γ処理および階調処理等をして電子的画像データを生成する公知のデジタル複写機の読取り手段やスキャナーであり、生成した画像データが記憶部７に記憶されるようになっている。
【００３１】
印刷部１３は、表示／入力部５および制御部１７の制御の下、指定された印刷用紙名称に対応した給紙カセット（図示せず。）から印刷用紙を給紙して画像データを印刷する公知のモノクロ又はカラー印刷エンジンである。
【００３２】
入出力部１５は、例えばハードディスク（ＨＤＤ）、ＵＳＢメモリ、フレキシブルディスクその他公知の外部記憶媒体２５に対し、制御部１７の制御の下、上述した変更名称をその印刷用紙に対応付けて作成されたファイルを出力又は入力制御する入出力インターフェース（Ｉ／Ｆ）である。
【００３３】
記憶部７は、予め設定された印刷用紙名称、表示／入力部５から入力された変更名称の他、画像処理部９の一時的データ、画像読取部１１からの読取り画像データ、制御部１７の動作プログラム等が格納された読み書き可能なメモリである。
【００３４】
制御部１７は、バス１を介して接続されたネットワークコントロール部３、表示／入力部５、記憶部７、画像処理部９、画像読取部１１、印刷部１３、入出力部１５を制御する機能を有するＣＰＵ等であり、記憶部７に記憶された動作プログラムによって動作する。機能の詳細は後述する。
【００３５】
情報処理装置２３は、図２に示すように、バス１０１を介して接続されたネットワークコントロール部１０３、表示部１０５１、入力部１０５２、記憶部１０７、情報処理部１０９、入出力部１１５およびこれらを制御する制御部１１７を有して構成されている。
【００３６】
ネットワークコントロール部１０３は、ネットワーク１９に対し、変更名称ファイルその他種々の情報を送受信する従来公知のネットワークインターフェース（ＮＩＣ）である。送受信するデータの詳細は後述する。
【００３７】
入力部１０５２は、画像形成装置２１によって印刷する印刷用紙の選択、印刷の実行、中止、その他種々の入力機能を有し、制御部１１７によって制御される。
【００３８】
表示部１０５１は、液晶ディスプレイやプラズマディスプレイなどの表示手段であり、入力部１０５２からの入力信号に対応する文字列や画像を表示する機能を有し、制御部１１７によって制御される。
【００３９】
入力部１０５２は、制御部１１７の制御の下、マウス等のポインティングデバイスまたはキーボードの入力キー等により、例えば図３Ａに示すように、Ａ４、Ｂ４、Ａ３といった印刷サイズの選択、画像形成装置２１の印刷部１３の印刷エンジン中の給紙カセット１、２といった給紙元の選択、普通紙、プレプリント、再生紙といった印刷用紙名称（メディアタイプ）の選択が可能になっている。
【００４０】
入力部１０５２は、制御部１７の制御の下、マウス等のポインティングデバイスまたはキーボードの入力キー等により、図３Ｂに示すように、印刷用紙名称（メディアタイプ）中の例えば「普通紙」や「プレプリント」を反転選択してから「白紙」や「注文伝票」といった任意の名称を入力変更する機能を有している。
表示部１０５１は、制御部１１７の制御の下、例えば図３Ａおよび同図Ｂに示すように、入力部１０５２からの入力信号を受信する度に、当該入力信号に対応した印刷サイズ、給紙元、印刷用紙名称（メディアタイプ）を表示する。
【００４１】
すなわち、表示部１０５１は、印刷用紙名称（メディアタイプ）を表示する表示部として機能し、入力部１０５２は表示された用紙名称の変更名称を入力する入力部として機能する。
【００４２】
情報処理部１０９は、制御部１１７の制御の下、印刷用の文書データ、画像データおよび、入力手段１０５２により入力、選択された印刷設定データを画像形成装置２１の画像処理部９で解読可能な中間データに変換処理し、この中間データをネットワーク１９経由で画像形成装置２１に送信する機能を有している。
【００４３】
入出力部１１５は、例えばハードディスク（ＨＤＤ）、ＵＳＢメモリ、フレキシブルディスクその他公知の外部記憶媒体２５に対し、制御部１１７の制御の下、上述した変更名称をその印刷用紙に対応付けて作成されたファイルを出力又は入力制御する入出力インターフェース（Ｉ／Ｆ）である。
【００４４】
記憶部１０７は、予め設定された印刷用紙名称、入力部１０５２から入力された変更名称の他、制御部１７の動作プログラム等が格納された読み書き可能なメモリである。
【００４５】
制御部１１７は、バス１０１を介して接続されたネットワークコントロール部１０３、表示部１０５１、入力部１０５２、記憶部１０７、画像処理部１０９、入出力部１１５を制御する機能を有するＣＰＵ等であり、記憶部１０７に記憶された動作プログラムによって動作する。機能の詳細は後述する。
【００４６】
さて、画像形成装置２１および情報処理装置２３の制御部１７（制御部１１７）は、上述したように、印刷用紙名称（メディアタイプ）中の例えば「普通紙」や「プレプリント」について、表示／入力部５（制御部１１７に対しては表示部１０５１および入力部１０５２）から入力された変更名称である「白紙」や「注文伝票」といった任意の名称に変更制御して表示制御するとともに、それらをＡ４、Ｂ４、Ａ３といった表示された印刷サイズに対応付けて記憶部７に記憶制御する制御部として機能している。
【００４７】
制御部１７（制御部１１７）は、表示／入力部５（制御部１１７に対しては表示部１０５１および入力部１０５２）から入力された変更名称である「白紙」や「注文伝票」を読み出し、これを印刷サイズに対応付けてＸＭＬ形式のファイルを作成し、入出力部１５から外部の記憶媒体２５に出力制御する一方、外部の記憶媒体２５からそのようなファイルを入力制御し、そのファイルを参照して名称を抽出し記憶部７に記憶制御するとともに、表示／入力部５（制御部１１７に対しては表示部１０５１および入力部１０５２）に表示制御する機能を有している。
【００４８】
制御部１７（制御部１１７）は、変更名称について印刷サイズに対応付けたＸＭＬ形式ファイルをネットワークコントロール部３から、情報処理装置２３や画像形成装置２１に対して当該ＩＰアドレス等を指定して送信制御する一方、外部のからそのようなファイルを入力制御して変更名称を記憶部７に記憶制御するとともに、表示／入力部５（制御部１１７に対しては表示部１０５１および入力部１０５２）に表示制御する機能を有している。
【００４９】
ネットワーク１９に接続された画像形成装置２１および情報処理装置２３は共に、例えば図４（図中の太実線および太破線）に示すように、印刷用紙名称（メディアタイプ）の変更名称ファイルの送信先であるとともに、その変更名称ファイルの送信元となっている。
【００５０】
次に、画像形成装置２１および情報処理装置２３の動作を図５〜図９のフローチャートを参照して説明する。
【００５１】
まず、図５を参照して画像形成装置２１および情報処理装置２３における印刷用紙名称の変更（編集）処理を説明する。
【００５２】
表示名称の編集処理プログラムが開始されると、ステップＳ１にて表示名称の編集指示とその可否が判別され、編集指示がなくてステップＳ１がＮＯであれば編集を終了し、編集指示があってステップＳ１がＹＥＳであれば、ステップＳ２にて表示名称の入力とその有無が判別される。
【００５３】
文字入力がなくてステップＳ２がＮＯであればステップＳ３にて前の画面に戻す処理をして編集を終了し、文字入力があってステップＳ２がＹＥＳであれば、ステップＳ３にて表示名称の保存処理とその有無が判別される。
【００５４】
表示名称の保存が指示されずにステップＳ４がＮＯであれば、ステップＳ３にて前の画面に戻す処理をして編集を終了し、文字入力があってステップＳ４がＹＥＳであればそのまま編集を終了する。
【００５５】
次に、図６を参照して印刷用紙名称の外部記憶媒体２５への出力（エクスポート）処理を説明する。
【００５６】
出力処理プログラムが開始されると、ステップＳ１０にて表示名称の読出しとその有無が判別され、読み出し指示がなくてステップＳ１０がＮＯであればステップＳ１１で「エラー」処理をして出力を終了し、読み出し指示があってステップＳ１０がＹＥＳであれば、ステップＳ１２にてファイル作成とその有無が判別される。
【００５７】
ファイルへの出力がなくてステップＳ１２がＮＯであればステップＳ１１にて「エラー」処理をして出力を終了し、ファイルへ出力があってステップＳ１２がＹＥＳであればそのまま出力を終了する。
【００５８】
次に、図７を参照して印刷用紙名称の格納された外部記憶媒体２５からの入力（インポート）処理を説明する。
【００５９】
入力処理プログラムが開始されると、ステップＳ２０にてファイル参照とその有無が判別され、参照ファイルがなくてステップＳ２０がＮＯであればステップＳ２１で「エラー」処理をして入力を終了し、参照ファイルがあってステップＳ２０がＹＥＳであれば、ステップＳ２２にてファイルから表示名称の読込み処理とその有無が判別される。
【００６０】
表示名称の表示がなくてステップＳ２３がＮＯであればステップＳ２１にて「エラー」処理をして入力を終了し、表示名称の表示があってステップＳ２３がＹＥＳであればそのまま入力処理を終了する。
【００６１】
次に、図８を参照して情報処理装置２３から画像形成装置２１への送信処理を説明する。
【００６２】
送信処理プログラムが開始されると、情報処理装置２３側のステップＳ３０にて表示名称の読出し処理とその有無が判別され、読み出し指示がなくてステップＳ３０がＮＯであればステップＳ３１で「エラー」処理し、画像形成装置２１側のステップＳ３４に移る。
【００６３】
読み出し指示があってステップＳ３０がＹＥＳであれば、ステップＳ３２にてファイル作成とその有無が判別され、ファイル作成ができずにステップＳ３２がＮＯであればステップＳ３１にて「エラー」処理をし、ファイル作成されてステップＳ３２がＹＥＳであればステップＳ３３に移る。
【００６４】
ステップＳ３３ではファイルの送信とその有無が判別され、送信されずにステップＳ３３がＮＯであれば、ステップＳ３１にて「エラー」処理をし、ファイル送信処理があってステップＳ３３がＹＥＳであれば、画像形成装置２１側のステップＳ３４に移る。
【００６５】
画像形成装置２１側では、ステップＳ３４にてファイルから表示名称を読込みとその有無が判別され、ファイルから表示名称の読込みができずにステップＳ３４がＮＯであればステップＳ３５で「エラー」処理をして読込みを終了し、ファイルから表示名称が読込まれてステップＳ３４がＹＥＳであれば、ステップＳ３６にて表示名称の表示とその有無が判別される。
【００６６】
表示名称の表示がされずにステップＳ３６がＮＯであればステップＳ３５にて「エラー」処理をして読込みを終了し、表示名称が表示されてステップＳ３６がＹＥＳであればそのまま読込み処理を終了する。
【００６７】
さらに、図９を参照して画像形成装置２１から情報処理装置２３への送信処理を説明する。
【００６８】
送信処理プログラムが開始されると、ステップＳ４０にて表示名称の読出しとその有無が判別され、読み出し指示がなくてステップＳ４０がＮＯであればステップＳ４１で「エラー」処理し、画像形成装置２１からの送信処理を終了する。
【００６９】
読み出しがあってステップＳ４２がＹＥＳであれば、ステップＳ４２にて変更名称ファイル作成とその有無が判別され、ファイルが作成されずにステップＳ４２がＮＯであればステップＳ４１にて「エラー」処理をし、ファイルが作成されてステップＳ４２がＹＥＳであればステップＳ４３に移る。
【００７０】
ステップＳ４３ではファイル送信先指定とその有無が判別され、送信先指定がなされずにステップＳ４３がＮＯであれば、ステップＳ４１にて「エラー」処理をし、送信指定処理があってステップＳ４３がＹＥＳであれば、ステップＳ４４に移る。
【００７１】
ステップＳ４４にてファイルの送信とその有無が判別され、ファイル送信がなされずにステップＳ４４がＮＯであればステップＳ４１で「エラー」処理をして送信処理を終了し、ファイル送信がなされてステップＳ４４がＹＥＳであれば送信処理を終了する。
【００７２】
受信した情報処理装置２３では、例えば図６の編集処理がなされる。
【００７３】
そして、上記処理は画像形成装置２１又は情報処理装置２３のコンピュータがプログラム（情報処理プログラム）と協働することにより実行される。
【００７４】
このように本発明に係る画像形成装置２１では、形成画像を印刷する印刷用紙の用紙名称を表示するとともに、その表示された用紙名称を変更する変更名称を入力する表示／入力部（表示部、入力部）５と、その変更名称をその印刷用紙に対応付けて変更制御する制御部１７と、その印刷用紙に対応付けられたその変更名称を読み書き可能に記憶する記憶部７とを有するから、ユーザの使用環境に応じて、印刷用紙の名称をユーザ独自で任意に設定することを可能となり、ユーザの利便性を向上させることが容易である。
【００７５】
しかも、変更名称として印刷用紙媒体の規格名称以外の名称とすれば、変更名称自体が種々に拡大可能となり、画像形成装置２１等の利用範囲が拡大される。
【００７６】
また、変更名称と印刷用紙媒体とを対応付けたファイルを入力又は出力する入出力部１５を有するから、変更名称を種々の情報処理装置２３に反映させて使用可能となる利点がある。
【００７７】
さらに、変更名称に対応した印刷用紙に印刷する印刷部１３を有するから、変更名称を用いても、Ａ４、Ｂ４、Ａ３といった規格化された印刷用紙に印刷可能である。
【００７８】
また、本発明における用紙名称としては、上述した「普通紙」や「再生紙」といったメディアタイプに限らず、Ａ４、Ｂ４、Ａ３といった用紙サイズも含まれる。
【００７９】
そして、本発明の画像形成装置２１において、変更する変更名称としては任意の名称が可能であり、例えば、使用環境が一般企業であれば企業内での通用する社内専用名称が、学校や教育施設であれば教育資料名称等で実施可能である。
【００８０】
ところで、本発明で用いる印刷用紙としては、紙用紙に限らずプラスチックその他、シート状の種々の印刷用紙媒体で実施可能である。
【００８１】
また、画像形成装置２１および情報処理装置２３は、ネットワーク１９経由で互いに変更名称の情報を送受信することができる。このため、画像形成装置２１で変更した変更名称を情報処理装置２３の印刷用紙名称の選択画面に反映させることが可能である。逆に、情報処理装置２３で変更した変更名称を画像形成装置２１の印刷用紙名称の選択画面に反映させることが可能である。
【００８２】
なお、本発明に係る情報処理装置２３で実行される情報処理プログラムでも、変更名称を種々の画像形成装置２１に反映させたり、上述したように画像形成装置２１と同様な効果を得ることが可能である。
【図面の簡単な説明】
【００８３】
【図１】本発明に係る画像形成装置の実施の一形態を示すブロック図である。
【図２】本発明の参考となる情報処理装置の実施の一形態を示すブロック図である。
【図３】本発明における表示内容例を説明する図である。
【図４】本発明における画像形成装置と情報処理装置の接続例を説明する図である。
【図５】本発明における動作を説明するフローチャートである。
【図６】本発明における動作を説明するフローチャートである。
【図７】本発明における動作を説明するフローチャートである。
【図８】本発明における動作を説明するフローチャートである。
【図９】本発明における動作を説明するフローチャートである。
【符号の説明】
【００８４】
１、１０１  バス
３、１０３  ネットワークコントロール部
５  表示／入力部（表示部、入力部）
７、１０７  記憶部
９  画像処理部
１１  画像読取部
１３  印刷部
１５、１１５  入出力部
１７、１１７  制御部
１９  ネットワーク
２１  画像形成装置（プリンタ）
２３  情報処理装置（パソコン）
２５  記憶媒体
１０９  情報処理部
１０５１  表示部
１０５２  入力部
【図１】
2008097335.tif 000003
【図２】
2008097335.tif 000004
【図３】
2008097335.tif 000005
【図４】
2008097335.tif 000006
【図５】
2008097335.tif 000007
【図６】
2008097335.tif 000008
【図７】
2008097335.tif 000009
【図８】
2008097335.tif 000010
【図９】
2008097335.tif 000011